(57)【特許請求の範囲】
【請求項１】
家具を設置したときに生じる隙間を塞ぐ目地材であって、
前記隙間に張られる化粧板と、
前記化粧板の裏面から垂下するように設けられ、前記隙間に挿入される挿入板と、
前記挿入板の一主面上に突出するように設けられ、前記挿入板が垂下する方向に並べられる複数の留め部材と、
前記挿入板の一主面と反対側の主面上に突出するように設けられ、前記複数の留め部材の間に位置付けられ、前記化粧板が延びる方向に沿って延びる切断用線条凸部とを備える、目地材。
【請求項２】
請求項１に記載の目地材であってさらに、
前記挿入板の一主面と反対側の主面上に突出するように設けられ、前記化粧板が延びる方向に沿って延びる滑り止め用線条凸部を備える、目地材。
【請求項３】
請求項１または２に記載の目地材であって、
前記留め部材は、前記挿入板の垂直方向において、前記化粧板よりも突出している、目地材。
【発明の詳細な説明】
【技術分野】
【０００１】
本発明は、目地材に関し、さらに詳しくは、家具を設置したときに生じる隙間を塞ぐ目地材に関する。
【背景技術】
【０００２】
従来、家具を設置したときに生じる隙間を塞ぐために、コーキング材を充填する技術が知られている。しかしながら、コーキング材をその隙間に充填するには、熟練の技が必要であり、非常に手間がかかっていた。
【０００３】
特開２００７−２０２７７１号公報（特許文献１）、特開２００２−２９１６４２号公報（特許文献２）、特開２０１０−３１５９５号公報（特許文献３）及び特開２０１０−５０２０号公報（特許文献４）には、浴槽と壁面との隙間を塞ぐ浴槽目地材が開示されている。特許文献１〜４に記載の浴槽目地材は、浴槽と壁面との隙間に挿入される。このことより、浴槽と壁面との隙間が塞がれている。
【先行技術文献】
【特許文献】
【０００４】
【特許文献１】特開２００７−２０２７７１号公報
【特許文献２】特開２００２−２９１６４２号公報
【特許文献３】特開２０１０−３１５９５号公報
【特許文献４】特開２０１０−５０２０号公報
【発明の概要】
【発明が解決しようとする課題】
【０００５】
しかしながら、特許文献１〜４に記載の浴槽目地材は、浴槽と壁面との間の隙間を塞ぐために用いられており、家具を設置したときに生じる隙間を塞ぐための目地材として適していない。
【０００６】
本発明の目的は、家具を設置したときに生じる隙間を塞ぐために適した目地材を提供することである。
【課題を解決するための手段及び効果】
【０００７】
本発明による目地材は、家具を設置したときに生じる隙間を塞ぐ目地材であって、化粧板と、挿入板と、複数の留め部材と、切断用線条凸部とを備える。化粧板は、隙間に張られる。挿入板は、化粧板の裏面から垂下するように設けられ、隙間に挿入される。複数の留め部材は、挿入板の一主面上に突出するように設けられ、挿入板が垂下する方向に並べられる。切断用線条凸部は、挿入板の一主面と反対側の主面上に突出するように設けられ、複数の留め部材の間に位置付けられ、化粧板が延びる方向に沿って延びる。
【０００８】
本発明によれば、切断用線条凸部が複数の留め部材の間に位置付けられているので、１または２以上の留め部材を容易に切り落とすことができる。家具を設置したときに生じる隙間が広い場合、本発明による目地材を切断することなくそのまま設置することにより、広い隙間を塞ぐことができる。また、家具を設置したときに生じる隙間が狭い場合、留め部材を切り落とした上で、本発明による目地材を設置することにより、狭い隙間を塞ぐことができる。つまり、本発明による目地材は、隙間の幅に応じて、留め部材の個数を容易に調節することができるので、様々な大きさの幅の隙間を塞ぐことができる。したがって、本発明による目地材は、家具を設置したときに生じる隙間を塞ぐために適している。
【０００９】
好ましくは、上記目地材はさらに、滑り止め用線条凸部を備える。滑り止め用線条凸部は、挿入板の一主面と反対側の主面上に突出するように設けられ、化粧板が延びる方向に沿って延びる。
【００１０】
この場合、本発明による目地材を隙間に設置したときに、滑り止め用線条凸部が家具または壁面と接触するので、目地材が容易に外れるのを防ぐことができる。
【００１１】
好ましくは、留め部材は、挿入板の垂直方向において、化粧板よりも突出している。
【００１２】
この場合、留め部材が化粧板よりも突出しているので、家具を設置したときに生じる隙間が広い場合でも、目地材が容易に外れるのを防ぐことができる。
【図面の簡単な説明】
【００１３】
【図１】本発明の実施の形態による目地材の外観構成を示す斜視図である。
【図２】図１に示した目地材の側面図である。
【図３】図１に示した目地材の背面図である。
【図４】図１に示した目地材を洗面台と壁面との間の隙間に設置している様子を示す斜視図ある。
【図５】図１に示した目地材を隙間に挿入しようとする様子を示す側面図である。
【図６】図５に続いて、目地材を隙間に挿入している様子を示す側面図である。
【図７】図６に続いて、目地材を隙間に設置した様子を示す側面図である。
【図８】図２において、２個の留め部材のうち一方の留め部材が切り落とされた目地材の側面図である。
【図９】図８に示した目地材を洗面台と壁面との間の隙間に設置した様子を示す側面図ある。
【図１０】図３において、挿入部材の一部が切り取られた目地材の正面図である。
【図１１】図１０に示した目地材を図１０中のＥ線方向に折り曲げた様子を示す正面図である。
【発明を実施するための形態】
【００１４】
以下、図面を参照し、本発明の実施の形態を詳しく説明する。図中同一又は相当部分には同一符号を付してその説明は繰り返さない。
【００１５】
［目地材の構成］
図１〜３を参照して、目地材１の構成を説明する。図１は、本実施の形態における目地材１の斜視図である。目地材１は、化粧板１０と、挿入板１１と、留め部材１２Ａ，１２Ｂと、切断用線条凸部１３と、滑り止め用線条凸部１４とを備える。
【００１６】
化粧板１０は、化粧板表面１０Ａと、化粧板裏面１０Ｂとを有する。化粧板裏面１０Ｂは、化粧板表面１０Ａの反対の面である。
【００１７】
挿入板１１は、化粧板裏面１０Ｂから垂下するように設けられる。挿入板１１は、挿入板表面１１Ａと、挿入板裏面１１Ｂとを有する。挿入板表面１１Ａは、挿入板１１の一主面である。挿入板裏面１１Ｂは、挿入板表面１１Ａの反対側の主面である。
【００１８】
留め部材１２Ａ，１２Ｂは、本例では、それぞれ１枚の板状の部材で構成される。留め部材１２Ａ，１２Ｂは、挿入板１１の表面１１Ａ上に突出するように設けられる。留め部材１２Ａ，１２Ｂは、挿入板１１の垂直方向よりも化粧板１０方向に傾いて突出している。留め部材１２Ａ，１２Ｂは、挿入板１２が垂下する方向に並べられる。本例では、留め部材１２Ａは、挿入板１１の先端に設けられる。また、留め部材１２Ｂは、化粧板１０と留め部材１２Ａの間に設けられる。
【００１９】
切断用線条凸部１３及び滑り止め用線条凸部１４は、挿入板裏面１１Ｂ上に突出するように設けられる。切断用線条凸部１３は、留め部材１２Ａ及び１２Ｂの間に位置付けられる。より具体的には、留め部材１２Ａが挿入板１１と接合する接合部１１１と、留め部材１２Ｂが挿入板１１と接合する接合部１１２との間に、切断用線条凸部１３は設けられる。滑り止め用線条凸部１４は、本例では、３個設けられる。
【００２０】
目地材１は、フレキシブルな樹脂で構成される。例えば、フレキシブルな樹脂として、ポリ塩化ビニル（含有率：４８〜５８重量％）及び炭酸カルシウム（含有率：１６〜２６重量％）の混合物が用いられる。
【００２１】
図２は、図１に示した目地材１の側面図である。以下に本実施の形態における目地材１の寸法及び角度を示す。
【００２２】
化粧板１０と、挿入板１１と、留め部材１２Ａ，１２Ｂとは、約１．５ｍｍの厚さを有している。挿入板１１と各留め部材１２Ａ,１２Ｂとがなす角度θは、約３０°である。
【００２３】
化粧板１０の長さＬ１は、約１４ｍｍである。化粧板１０のうち挿入板表面１１Ａ方向に突出している部分の長さＬ２は、約１１ｍｍである。また、化粧板１０のうち挿入板裏面１１Ｂ方向に突出している部分の長さＬ３は、約１．５ｍｍである。
【００２４】
挿入板１１の高さＬ４は、約３８．５ｍｍである。留め部材１２Ａ,１２Ｂの（挿入板１１の垂直方向に対する）長さＬ５は、約１３ｍｍである。留め部材１２Ａと留め部材１２Ｂとの間隔Ｌ６は、約１２ｍｍである。
【００２５】
切断用線条凸部１３及び滑り止め用線条凸部１４は、半径約１．５ｍｍの半円である。切断用線条凸部１３と滑り止め用線条凸部１４との間隔Ｌ７及び各滑り止め用線条凸部１４の間隔Ｌ７は、約６ｍｍである。滑り止め用線条凸部１４のうち最も化粧板１０に近い滑り止め用線条凸部１４Ａと化粧板１０との間の長さＬ８は、約８．５ｍｍである。
【００２６】
上記のことより、留め部材１２Ａ,１２Ｂは、挿入板１１の垂直方向において、化粧板１０よりも突出している（長さＬ２及び長さＬ５を参照）。また、化粧板１０は、挿入板裏面１１Ｂ方向に突出している（長さＬ３を参照）。
【００２７】
図３は、図１に示した目地材１の背面図である。
【００２８】
切断用線条凸部１３及び滑り止め用線条凸部１４は、化粧板１０が延びる方向に沿って延びる。
【００２９】
上記のことより、切断用線条凸部１３は、接合部１１１と接合部１１２との間に設けられ、化粧板１０が延びる方向に沿って延びているので、カッタなどで切断用線条凸部１３に沿って挿入板１１を切断するだけで、留め部材１２Ａを切り落とすことができる。したがって、本実施の形態における目地材１は、留め部材１２Ａを容易に切り落とすことができる。
【００３０】
また、目地材１の全ての部材は一方向に延びているので、例えば押し出し成形により製造することができる。
【００３１】
［目地材の使用方法］
図４を参照して、目地材１の使用方法を説明する。目地材１は、家具を設置したときに生じる隙間を塞ぐために使用される。図４は、目地材１が家具を設置したときに生じた隙間に設置されている様子を示す図である。本例では、目地材１は、壁面１００と洗面台２００との間に設置され、壁面１００と洗面台２００との間に生じた隙間を塞いでいる。
【００３２】
一般的に、家具は使用者の趣向により様々な位置に置かれる。つまり、家具を設置したときに生じる隙間には、様々な大きさの幅が存在する。したがって、様々な大きさの幅を塞ぐことができる目地材は、家具を設置したときに生じる隙間を塞ぐのに適する。
【００３３】
［目地材の設置］
図５〜９を参照して、目地材１が壁面１００と洗面台２００との間に生じた隙間５０に設置される様子を説明する。なお、本実施の形態における目地材１は、約３〜１４ｍｍの幅Ｌ１０を有する隙間５０を塞ぐのに適している。目地材１が約８〜１４ｍｍの幅Ｌ１０を有する隙間５０（広幅隙間５０Ａ）を塞ぐ場合、目地材１の留め部材１２Ａを切り落とさずに、目地材１が広幅隙間５０Ａに挿入される。また、目地材１が約３〜８ｍｍの幅Ｌ１０を有する隙間５０（狭幅隙間５０Ｂ）を塞ぐ場合、目地材１の留め部材１２Ａを切り落し、目地材１が狭幅隙間５０Ｂに挿入される。家具を設置したときに生じる隙間５０が広幅隙間５０Ａまたは狭幅隙間５０Ｂのどちらであるかは、定規などで隙間５０の幅Ｌ１０を計測することにより判断されてもよいし、経験則から判断してもよい。
【００３４】
まず、図５〜７を参照して、目地材１が広幅隙間５０を塞ぐ場合について説明する。
【００３５】
図５に示すように、目地材１が広幅隙間５０Ａの上に配置される。具体的には、化粧板１０、切断用線条凸部１３及び滑り止め用線条凸部１４が壁面２００に接触し、留め部材１２Ａが洗面台１００に接触するように配置される。
【００３６】
その後、目地材１が図５中の矢印Ｃ方向に押し込まれることにより、図６に示すように、挿入板１１の一部が広幅隙間５０Ａに挿入される。具体的には、留め部材１２Ａが化粧板１０方向に折り畳まれるようにして広幅隙間５０Ａに挿入される。
【００３７】
その後、挿入板１１がさらに矢印Ｃ方向に押し込まれることにより、図７に示すように、目地材１が広幅隙間５０Ａに設置される。具体的には、留め部材１２Ｂが化粧板１０方向に折り畳まれるようにして広幅隙間５０Ａに挿入される。化粧板１０が洗面台２００に接触する。このことより、目地材１が広幅隙間５０Ａに設置され、広幅隙間５０Ａを塞ぐことができる。
【００３８】
次に、図８〜９を参照して、目地材１が狭幅隙間５０Ｂを塞ぐ場合について説明する。
【００３９】
図３に示す切断用線条凸部１３の上部１３Ａに沿って、目地材１が切断される。このことより、留め部材１２Ａが切り落とされ、図８に示す目地材１が形成される。このとき、切断用線条凸部１３が、接合部１１１と接合部１１２との間に設けられ、化粧板１０が延びる方向に沿って延びているので、使用者は、留め部材１２Ａを容易に切り落とすことができる。
【００４０】
その後、図９を参照して、幅広隙間５０Ａに目地材１を設置したときと同じようにして、挿入板１１が狭幅隙間５０Ｂに挿入される。具体的には、化粧板１０及び滑り止め用線条凸部１４が壁面２００に接触する。留め部材１２Ａは、化粧板１０方向に折り畳まれるようにして狭幅隙間５０Ｂに挿入される。化粧板１０が洗面台１００に接触する。このことより、目地材１が狭幅隙間５０Ｂに設置され、狭幅隙間５０Ｂを塞ぐことができる。
【００４１】
［目地材の設置の応用例］
図１０及び１１を参照して、目地材１の設置の応用例を説明する。図４に示すように、壁面１００と洗面台２００の角部分２００Ａとの隙間に目地材１を設置することがある。以下に、壁面１００と角部分２００Ａとの隙間を１個の目地材１で塞ぐ方法を説明する。
【００４２】
図１０に示すように、目地材１の挿入板１１の一部が切り取られる。具体的には、化粧板１０が延びる方向に対して４５度の角度を有するようにして、挿入板１１が切り取られる。その後、目地材１が図１０中のＥ方向に折り曲げられる。このようにして、図１１に示す目地材１が形成される。そして、折り曲げられた目地材１は、壁面１００と角部分２００Ａとの隙間に挿入される。
【００４３】
このように、挿入板１１が切り取られることにより、壁面１００と角部分２００Ａとの隙間を１個の目地材１で塞ぐことができる。
【００４４】
［本実施の形態の効果］
上記のようして、本実施の形態による目地材１では、切断用線条凸部１３が接合部１１１と接合部１１２の間に位置付けられているので、留め部材１２Ｂを容易に切り落とすことができる。目地材１が広幅隙間５０Ａを塞ぐ場合、目地材１を隙間５０Ａにそのまま設置することにより、目地材１が隙間５０Ａを塞ぐことができる。また、目地材１が狭幅隙間５０Ｂを塞ぐ場合、切断用線条凸部１３に沿って留め部材１２Ｂを切り落とすことにより、目地材１を容易に狭幅隙間５０Ｂに設置することができる。つまり、目地材１は、隙間５０の幅Ｌ１０に応じて、留め部材１２Ａ，Ｂの個数を容易に調節することができるので、様々な大きさの幅Ｌ１０の隙間５０を塞ぐことができる。したがって、本実施の形態による目地材１は、家具を設置したときに生じる隙間５０を塞ぐために適する。
【００４５】
さらに、留め部材１２Ａ，１２Ｂが挿入板１１の垂直方向よりも化粧板１０方向に傾いて突出しているので、目地材１が隙間５０に設置された際、留め部材１２Ａ，１２Ｂが化粧板１０方向に折り畳まれるようにして隙間５０に挿入される。したがって、留め部材１２Ａ，１２Ｂの復元力により、隙間５０に設置された目地材１が外れにくくなる。また、化粧板１０、切断用線条凸部１３及び滑り止め用線条凸部１４が壁面１００と接触しているので、壁面１００と目地材１（より具体的には、化粧板１０、切断用線条凸部１３及び滑り止め用線条凸部１４）との間で摩擦力が生じ、隙間５０に設置された目地材１がはずれにくくなる。
【００４６】
さらに、化粧板１０が挿入板裏面１１Ｂ方向に突出しているので、隙間５０を完全に塞ぐことができる。
【００４７】
さらに、上記のように目地材１が家具を設置したときに生じる隙間５０を塞ぐのに適しているので、一般の人でもその隙間５０を容易に塞ぐことができる。つまり、専門の業者（コーキング業者等）等に依頼せずに、隙間５０を塞ぐことができる。
【００４８】
［他の実施の形態］
本実施の形態による目地材１は、留め部材１２Ａ，１２Ｂが２個設けられているが、留め部材が３個以上設けられていてもよい。また、本実施の形態による目地材１は、切断用線条凸部１３が１個設けられているが、切断用線条凸部１３が２個以上設けられていてもよい。例えば、留め部材が３個設けられ、各留め部材の間に１個ずつ切断用線条凸部（合計２個の切断用線条凸部）が設けられてもよい。この場合、２個の切断用線条凸部のうち、どちらで挿入部材を切断するかを選択することができるので、切り落とす留め部材の個数を選択することができる。
【００４９】
また、本実施の形態による目地材１は、３〜１４ｍｍの幅Ｌ１０を有する隙間５０を塞ぐのに適しているがこれに限定されない。目地材１の寸法を変更することで、目地材１が様々な大きさの隙間５０を塞ぐことができる。例えば、目地材１の各寸法（Ｌ１〜Ｌ８）を大きくすることにより、１４〜２０ｍｍの幅Ｌ１０を有する隙間５０を塞ぐのに適した目地材が形成される。
【００５０】
また、目地材１が洗面台２００を設置したときに生じる隙間５０を塞いでいるが、家具を設置したときに生じる隙間を塞いでいれば、これに限定されない。例えば、目地材１は、壁面とタンスとの間に生じた隙間を塞いでもよい。タンスの他に、シューズクロック、リネン庫、食品棚、物入れ等の箱物家具と壁面との間に生じた隙間を塞いでもよい。また、本実施の形態では、目地材１が壁面１００と家具（洗面台２００）との間に生じた隙間を塞いでいるが、家具を設置したときに生じる隙間を塞いでいれば、これに限定されない。例えば、目地材１は、天井と家具との間に生じた隙間を塞いでもよい。
【００５１】
また、接着材を切断用線条凸部１３及び滑り止め用線条凸部１４に沿って塗布した後に、目地材１が隙間５０に挿入されてもよい。
【００５２】
また、各留め部材１２Ａ，１２Ｂが１枚の板状の部材で構成されているが、複数の棒状の部材で構成されていてもよい。
【００５３】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００５４】
１  目地材
１０  化粧板
１１  挿入板
１２Ａ，１２Ｂ  留め部材
１３  切断用線条部材
１４，１４Ａ  滑り止め用線条部材
５０，５０Ａ，５０Ｂ  隙間
【図１】
0005401424.tif 000002
【図２】
0005401424.tif 000003
【図３】
0005401424.tif 000004
【図４】
0005401424.tif 000005
【図５】
0005401424.tif 000006
【図６】
0005401424.tif 000007
【図７】
0005401424.tif 000008
【図８】
0005401424.tif 000009
【図９】
0005401424.tif 000010
【図１０】
0005401424.tif 000011
【図１１】
0005401424.tif 000012